(57)【要約】      （修正有）【課題】正方向又は反方向に沿って相手コネクタと接続可能な電気コネクタを提供する。【解決手段】電気コネクタは、ハウジング６０への絶縁部材５０の挿入により形成される厚さと幅とが同じ上挿入穴と下挿入穴と、絶縁性本体１０と、複数の第１端子２０と複数の第２端子３０と、を備える。各第１端子が、上挿入穴に露出する第１接触部と、絶縁性本体に固着される第１固着部２７と、第１接触部と第１固着部を連接する第１ビームと、を有する。各第２端子が、下挿入穴に露出する第２接触部３５を有する。第２接触部は第１接触部と並列し、各第１端子が、それぞれ対応する第２端子と電気接続する。第１ビームの弾性力によって、第１接触部と第２接触部は上下方向に移動する。【選択図】図４
0003194748.tif 000002
【実用新案登録請求の範囲】
【請求項１】
厚さと幅とが同じ上挿入穴と下挿入穴と、
絶縁性本体と、
複数の第１端子と複数の第２端子と、を備え、
各第１端子が、前記上挿入穴に露出する第１接触部と、前記絶縁性本体に固着される第１固着部と、前記第１接触部と第１固着部を連接する第１ビームと、を有し、
各第２端子が、下挿入穴に露出する第２接触部を有し、前記第２接触部が前記第１接触部と並列し、各第１端子が、複数の第２端子のうちのこの第１端子に対応する第２端子と電気接続し、
前記第１ビームの弾性の運動によって、前記第１接触部と前記第２接触部とが、上下方向に沿って移動することを特徴とする請求項１に記載の電気コネクタ。
【請求項２】
前記第１接触部と前記第２接触部の間には、回路基板が配置され、前記第１接触部が回路基板の上表面に半田接続され、前記第２接触部が回路基板の下表面に半田接続され、各第１接触部と複数の第２接触部のうちのこの第１接触部に対応する第２接触部とが、前記回路基板によって、電気接続されることを特徴とする請求項１に記載の電気コネクタ。
【請求項３】
前記回路基板は、前後方向に沿って前記絶縁性本体から離れ、前記第１接触部と前記第２接触部の移動に伴って上下方向に沿って移動し、前記第１端子が、前記回路基板から後向きに突出することを特徴とする請求項２に記載の電気コネクタ。
【請求項４】
前記電気コネクタは、前記第１接触部と前記第２接触部と回路基板とにインサートモールドによって成型される絶縁部材と、上壁と下壁と一対の側壁とを有するハウジングと、を備え、前記上壁と下壁と一対の側壁とによって、挿入穴が囲成され、前記絶縁部材が前記挿入穴に配置されることによって、前記挿入穴の内に前記上挿入穴と前記下挿入穴とが形成されることを特徴とする請求項２又は３に記載の電気コネクタ。
【請求項５】
前記絶縁部材が、前後方向に沿って前記絶縁性本体から離れ、前記第１接触部と前記第２接触部の移動に伴って上下方向に沿って移動することを特徴とする請求項４に記載の電気コネクタ。
【請求項６】
前記第１端子の第１ビームが、前記上挿入穴にオーバーハングして上下方向に沿って弾性的に移動し、前記第１接触部と第１ビームとが、同じ水平線に配置されることを特徴とする請求項４又は５に記載の電気コネクタ。
【請求項７】
前記絶縁性本体は、主体部と、前記主体部の両側から前向きに突出する一対の延在部と、を備え、前記一対の延在部が横方向に沿って並列的な態様で離れ、前記一対の延在部の間には収納空間が形成され、前記第１ビームが前記収納空間にオーバーハングし、部分に前記絶縁性本体から前向きに突出することを特徴とする請求項１乃至６のいずれかに記載の電気コネクタ。
【請求項８】
前記第１端子と第２端子とは、ＵＳＢ２．０の規格を準拠し、複数の第１端子が、第１方向に沿って順番に配置される第１接地端子と、一対の第１差分信号端子と、第１パワー端子と、を備え、複数の第２端子が、前記第１方向に沿って順番に配置される第２パワー端子と、一対の第２差分信号端子と、第２接地端子とを備えることを特徴とする請求項１乃至７のいずれかに記載の電気コネクタ。
【請求項９】
前記第２端子が前後方向に沿って前記絶縁性本体から離れ、前記第１ビームには、アーチ形の折曲部が設けられ、前記折曲部は一部分が上向きに折り曲げられ、一部分が下向きに折り曲げられることを特徴とする請求項１乃至８のいずれかに記載の電気コネクタ。
【請求項１０】
前記第２端子は、金属片或いは金属指のように設けられることを特徴とする請求項１乃至９のいずれかに記載の電気コネクタ。
【考案の詳細な説明】
【技術分野】
【０００１】
本考案は電気コネクタに関する。特に、正方向或いは反方向に沿って相手コネクタと接続可能なUSBコネクタに関する。
【背景技術】
【０００２】
従来のＵＳＢコネクタは、USBプラグ及びUSBソケットを含む。USBプラグは、通常に、Ｕ盤或いは、ＭＰＣ或いは、データ線などに取り付けられる。USBソケットは、通常にコンピュータに取り付けられる。ＵＳＢコネクタは、誤挿入を防止する構造を有する。ＵＳＢコネクタは、正方向に沿って相手コネクタと正確に接続できる。ＵＳＢコネクタが反方向に沿って相手コネクタと接続することは阻止される。
【考案の概要】
【考案が解決しようとする課題】
【０００３】
ＵＳＢコネクタが誤挿入を防止する構造を有するにしても、ＵＳＢコネクタが一度だけ、正方向に沿って相手コネクタと正確に接続することを実現しにくい。特に、USBソケットがコンピュータの背面に取り付けられる場合、相手コネクタに何度も挿した後、USBソケットと接続することができる。従来のＵＳＢコネクタは、使用し難い。
【０００４】
本願は、上述の問題点を解決するためになされたものであり、その目的は、正方向或いは反方向に沿って相手コネクタと接続可能な電気コネクタを提供することにある。
【課題を解決するための手段】
【０００５】
前記目的を達成するために、本考案の電気コネクタは、厚さと幅とが同じ上挿入穴と下挿入穴と、絶縁性本体と、複数の第１端子と複数の第２端子と、を備える。各第１端子が、前記上挿入穴に露出する第１接触部と、前記絶縁性本体に固着される第１固着部と、前記第１接触部と第１固着部を連接する第１ビームと、を有する。各第２端子が、下挿入穴に露出する第２接触部を有する。前記第２接触部が前記第１接触部と並列し、各第１端子が、複数の第２端子のうちのこの第１端子に対応する第２端子と電気接続する。前記第１ビームの弾性の運動によって、前記第１接触部と前記第２接触部とが、上下方向に沿って移動する。
【考案の効果】
【０００６】
従来の技術に比べると、本考案は以下の長所がある。本考案の電気コネクタが正方向に沿って相手コネクタと接続する時、相手コネクタが上挿入穴に挿入され、第１端子と接触する。前記電気コネクタが反方向に沿って相手コネクタと接続する時、相手コネクタが下挿入穴に挿入され、第２端子と接触する。これにより、前記電気コネクタが不正確の方向に挿入することを心配する必要がない。このような前記電気コネクタが使用易い。
【図面の簡単な説明】
【０００７】
【図１】本考案の第１実施形態の電気コネクタの立体組立図である。
【図２】図１のＡ−Ａに沿って切る断面図である。
【図３】本考案の電気コネクタのハウジングが絶縁性本体に組み立てない時の斜視図である。
【図４】本考案の電気コネクタの部分の分解斜視図である。
【図５】図４に示す電気ネクタの別の角度から見た部分の分解斜視図である。
【図６】図５示す電気ネクタの分解斜視図である。
【図７】本考案の第２実施形態の電気コネクタのハウジングが絶縁性本体に組み立てない時の斜視図である。
【考案を実施するための形態】
【０００８】
以下、本考案の一実施形態によるコネクタを図面に基づいて説明する。
【０００９】
電気コネクタ１００は、ＵＳＢコネクタであり、基板或いはケーブルに半田接続される。図１〜図６に示すように、第１実施形態の電気コネクタ１００は、絶縁性本体１０と、複数の第１端子２０と複数の第２端子３０と、回路基板４０と、絶縁部材５０と、ハウジング６０と、を備える。
【００１０】
前記絶縁性本体１０は、断面がＬ形に形成され、主体部１１と、前記主体部１１の底部から後向きに突出する保持部１２と、主体部１１の両側から前向きに突出する一対の延在部１３と、を備える。前記主体部１１には、前記主体部１１を貫通する複数の固定穴１１０が形成される。前記保持部１２には、互いに隔てる複数の端子溝１２０が形成される。前記端子溝１２０は、前記固定穴１１０に対して窪んでいる。前記固定穴１１０は、対応の端子溝１２０に連通する。前記一対の延在部１３は、横方向に沿って並列的な態様で離れる。前記一対の延在部１３の間には、収納空間１３０が形成される。前記収納空間１３０は、前記固定穴１１０に連通する。
【００１１】
前記各第１端子２０は、前端に設けられる第１接触部２５と、第１固着部２７と、前記第１接触部２５と第１固着部２７を連接する第１ビーム２６と、第１固着部２７の後端に設けられる第１半田接続部２８と、を有する。前記第１ビーム２６が、弾性的に上下方向に沿って移動する。第１接触部２５と、第１ビーム２６と、第１固着部２７とは、同じ水平線に沿って配置される。第１固着部２７は、絶縁性本体１０の固定穴１１０に固着される。第１半田接続部２８は、一部分が端子溝１２０に保持され、一部分が端子溝１２０から延出し、前記ケーブルに電気接続される。前記第１ビーム２６は、前記収納空間１３０にオーバーハングし、一部分が前記絶縁性本体１０から前向きに突出する。他の実施形態において、複数の第１端子２０は、絶縁性本体１０に嵌合される。
【００１２】
前記第１端子２０と第２端子３０とは、ＵＳＢ２．０の規格を準拠する。前記複数の第１端子２０は、第１方向に沿って順番に配置される第１接地端子２１と、一対の第１差分信号端子２３と、第１パワー端子２２と、を備える。複数の第２端子３０は、前記第１方向に沿って順番に配置される第２パワー端子３２と、一対の第２差分信号端子３３と、第２接地端子３１と、を備える。
【００１３】
前記各第２端子３０の前端には、第２接触部３５が設けられる。第１接地端子２１の第１接触部２５と、一対の第１差分信号端子２３の第１接触部２５と、第１パワー端子２２の第１接触部２５とは、それぞれ第２パワー端子３２の第２接触部３５と、一対の第２差分信号端子３３の第２接触部３５と、第２接地端子３１の第２接触部３５とに、上下方向に沿って並列する。
【００１４】
前記第１端子２０の第１接触部２５と前記第２端子３０の第２接触部の間には、回路基板４０が配置される。前記第１接触部２５が回路基板４０の上表面に半田接続され、前記第２接触部３５が回路基板４０の下表面に半田接続される。前記回路基板４０によって、前記第１接触部２５と、複数の第２接触部３５のうちのこの第１接触部２５に対応する第２接触部３５とが、電気接続する。即ち、第１接地端子２１の第１接触部２５と、第２接地端子３１の第２接触部３５とが電気接続する。一対の第１差分信号端子２３の第１接触部２５と、一対の第２差分信号端子３３の第２接触部３５とが電気接続する。第１パワー端子２２の第１接触部２５と、第２パワー端子３２の第２接触部３５とが、電気接続する。前記第２端子３０は、金属片或いは金属指のように設けられる。他の実施形態において、回路基板４０を備えなく、前記第１接触部２５は、複数の第２接触部３５のうちのこの第１接触部２５に対応する第２接触部３５と接触する或いは一体に固着される。
【００１５】
絶縁部材５０は、前記第１接触部２５と前記第２接触部３５と回路基板４０とにインサートモールドによって成型される。前記第１接触部２５と前記第２接触部３５とは、絶縁部材５０の表面から露出し、相手コネクタと接続する。他の実施形態において、回路基板４０は、絶縁部材５０内に挿入される。
【００１６】
ハウジング６０は、上壁６１と下壁６２と一対の側壁６３とを有する。前記上壁６１と下壁６２と一対の側壁６３とによって、挿入穴６５が囲成される。前記絶縁部材５０が前記挿入穴６５に配置されることによって、前記挿入穴６５の内に厚さと幅とが同じ上挿入穴６５１と下挿入穴６５２とが形成される。第１接触部２５が前記上挿入穴６５１に露出し、第１ビーム２６が上挿入穴６５１にオーバーハングし、第２接触部３５が前記下挿入穴６５２に露出する。
【００１７】
前記電気コネクタ１００が正方向に沿って相手コネクタと接続する時、相手コネクタが上挿入穴６５１に挿入され、第１端子２０と接触する。前記電気コネクタ１００が反方向に沿って相手コネクタと接続する時、相手コネクタが下挿入穴６５２に挿入され、第２端子３０と接触する。これにより、前記電気コネクタ１００が不正確の方向に挿入することを心配する必要がない。このような前記電気コネクタ１００が使用易い。第１ビーム２６が前記収納空間１３０に弾性的にオーバーハングことに伴って、前記第１接触部２５と前記第２接触部３５とは、上下方向に沿って移動する。これにより、電気コネクタ１００が相手コネクタと接続する挿入力が低減される。電気コネクタ１００が相手コネクタと容易に接続される。
【００１８】
図７に示すように、第２実施形態の電気コネクタ２００は、第１アーム７６が設けられる複数の第１端子７０を有する。第１アーム７６には、第１アーム７６の弾性を高めるアーチ形の折曲部７６０が設けられる。折曲部７６０は、一部分が上向きに折り曲げられ、他の一部分が下向きに折り曲げられる。電気コネクタ２００が相手コネクタと何度も接続すると、第１アーム７６が良い弾性を保持できる。電気コネクタ２００は長期に渡って使用できる。電気コネクタ２００の絶縁部材８０の両側には、アーチ形の突出部８２が設けられる。絶縁部材８０が上下方向に沿って移動する時、絶縁部材８０とハウジング９０と間の摩擦力は低減される。
【００１９】
なお、以上は本考案の一実施形態の説明に過ぎず、本考案の技術的範囲を限定するものではなく、本考案の明細書及び図面の内容に基づきなし得る簡易な修飾及び同じ効果を達成できる構造変化は、いずれも本考案の技術的範囲に属する。
【符号の説明】
【００２０】
１００、２００    電気コネクタ
１０    絶縁性本体  
１１    主体部
１１０  固定穴
１２    保持部
１２０  端子溝
１３    延在部
１３０  収納空間  
２０、７０    第１端子
２５    第１接触部
２６、７６    第１ビーム
２７    第１固着部
２８    第１半田接続部
３０    第２端子
３５    第２接触部
３６    第２ビーム
３７    第２固着部
３８    第２半田接続部
４０    回路基板
５０、８０    絶縁部材
６０    ハウジング
６１    上壁
６２    下壁
６３    側壁
７６０  折曲部
８２  突出部
【図１】
0003194748.tif 000003
【図２】
0003194748.tif 000004
【図３】
0003194748.tif 000005
【図４】
0003194748.tif 000006
【図５】
0003194748.tif 000007
【図６】
0003194748.tif 000008
【図７】
0003194748.tif 000009
【手続補正書】
【提出日】平成26年10月9日(2014.10.9)
【手続補正１】
【補正対象書類名】実用新案登録請求の範囲
【補正対象項目名】全文
【補正方法】変更
【補正の内容】
【実用新案登録請求の範囲】
【請求項１】
厚さと幅とが同じ上挿入穴と下挿入穴と、
絶縁性本体と、
複数の第１端子と複数の第２端子と、を備え、
各第１端子が、前記上挿入穴に露出する第１接触部と、前記絶縁性本体に固着される第１固着部と、前記第１接触部と第１固着部を連接する第１ビームと、を有し、
各第２端子が、下挿入穴に露出する第２接触部を有し、前記第２接触部が前記第１接触部と並列し、各第１端子が、複数の第２端子のうちのこの第１端子に対応する第２端子と電気接続し、
前記第１ビームの弾性の運動によって、前記第１接触部と前記第２接触部とが、上下方向に沿って移動することを特徴とする電気コネクタ。
【請求項２】
前記第１接触部と前記第２接触部の間には、回路基板が配置され、前記第１接触部が回路基板の上表面に半田接続され、前記第２接触部が回路基板の下表面に半田接続され、各第１接触部と複数の第２接触部のうちのこの第１接触部に対応する第２接触部とが、前記回路基板によって、電気接続されることを特徴とする請求項１に記載の電気コネクタ。
【請求項３】
前記回路基板は、前後方向に沿って前記絶縁性本体から離れ、前記第１接触部と前記第２接触部の移動に伴って上下方向に沿って移動し、前記第１端子が、前記回路基板から後向きに突出することを特徴とする請求項２に記載の電気コネクタ。
【請求項４】
前記電気コネクタは、前記第１接触部と前記第２接触部と回路基板とにインサートモールドによって成型される絶縁部材と、上壁と下壁と一対の側壁とを有するハウジングと、を備え、前記上壁と下壁と一対の側壁とによって、挿入穴が囲成され、前記絶縁部材が前記挿入穴に配置されることによって、前記挿入穴の内に前記上挿入穴と前記下挿入穴とが形成されることを特徴とする請求項２又は３に記載の電気コネクタ。
【請求項５】
前記絶縁部材が、前後方向に沿って前記絶縁性本体から離れ、前記第１接触部と前記第２接触部の移動に伴って上下方向に沿って移動することを特徴とする請求項４に記載の電気コネクタ。
【請求項６】
前記第１端子の第１ビームが、前記上挿入穴にオーバーハングして上下方向に沿って弾性的に移動し、前記第１接触部と第１ビームとが、同じ水平線に配置されることを特徴とする請求項４又は５に記載の電気コネクタ。
【請求項７】
前記絶縁性本体は、主体部と、前記主体部の両側から前向きに突出する一対の延在部と、を備え、前記一対の延在部が横方向に沿って並列的な態様で離れ、前記一対の延在部の間には収納空間が形成され、前記第１ビームが前記収納空間にオーバーハングし、一部分が前記絶縁性本体から前向きに突出することを特徴とする請求項１乃至６のいずれかに記載の電気コネクタ。
【請求項８】
前記第１端子と第２端子とは、ＵＳＢ２．０の規格を準拠し、複数の第１端子が、第１方向に沿って順番に配置される第１接地端子と、一対の第１差分信号端子と、第１パワー端子と、を備え、複数の第２端子が、前記第１方向に沿って順番に配置される第２パワー端子と、一対の第２差分信号端子と、第２接地端子とを備えることを特徴とする請求項１乃至７のいずれかに記載の電気コネクタ。
【請求項９】
前記第２端子が前後方向に沿って前記絶縁性本体から離れ、前記第１ビームには、アーチ形の折曲部が設けられ、前記折曲部は一部分が上向きに折り曲げられ、一部分が下向きに折り曲げられることを特徴とする請求項１乃至８のいずれかに記載の電気コネクタ。
【請求項１０】
前記第２端子は、金属片或いは金属指のように設けられることを特徴とする請求項１乃至９のいずれかに記載の電気コネクタ。